(57)【特許請求の範囲】
【請求項１】
開口部を有し、先端に割り溝が形成された割り付き支柱が前記開口部内に立設され、外側縁から前記開口部に連なるランプピン挿入溝を前面に有するソケット本体と、前記開口部の前記割り付き支柱に貫通して回動自在に支持され前記ランプピン挿入溝に挿入されたランプピンを案内するガイド溝を前面の直径方向に形成した回転子と、前記ソケット本体内に設けられて前記ガイド溝に挿通された前記ランプピンを前記回転子とともに回動することにより前記ランプピンが接触する導電接触片とを備え、前記割り溝は、前記回転子の回動により前記回転子の前記ガイド溝に整合して前記ランプピンを挿通可能であるとともに、前記ランプピンの外径よりも狭い狭窄部を有し、前記ランプピンを前記ガイド溝に挿通した状態で前記狭窄部の位置が前記ランプピンの間にあるランプソケット。
【発明の詳細な説明】
【０００１】
【発明の属する技術分野】
この発明は、直管形蛍光ランプ等の直管ランプなどに適用可能なランプソケットに関するものである。
【０００２】
【従来の技術】
従来のはさみ込み形の蛍光灯ソケット（例えば実開昭50-10695、特開平8-167459) は、図５から図８に示すように、開口部５０を有し外側縁から開口部５０に連なるランプピン挿入溝５１を前面に有するカバー５２とボディ５３からなるソケット本体５４と、開口部５０に回動自在に設けられてランプピン挿入溝５１に挿入された蛍光ランプ５５のランプピン５６を案内するガイド溝５７を前面の直径方向に形成した回転子５８と、ソケット本体５４内に設けられてガイド溝５７に挿通されたランプピン５６を回転子５８とともに回動することによりランプピン５６が接触する導電接触片５９とを備えている。回転子５８はボディ５３の割り付支柱６０に回転自在に支持されている。一対の導電接触片５９は例えば速結端子６１からなる端子部を有し、回転子５８の両側に配置されるようにボディ５３に位置決めされる。
【０００３】
図８に示すように、直管蛍光ランプ５５を水平にし、両端のランプピン５６を照明器具ＰのランプソケットＰ１、Ｐ２に向けて近づけ、ランプピン５６をランプピン挿入溝５１に挿入し、回転子５８のガイド溝５７に嵌めて蛍光ランプ５５を略９０度回転する。ランプピン５６の回動によりランプピン５６が導電接触片５９に接触し、導電接触片５９の速結端子６１に接続された給電線より給電されて蛍光ランプ５５が点灯する。
【０００４】
【発明が解決しようとする課題】
上記のように、はさみ込み形の蛍光灯ソケットは、直管蛍光ランプ５５をランプピン挿入溝５１に矢印ａのように差し込んだ状態から、矢印ｂのように回転させて、ランプ５５の取付け、取外しを行っている。
【０００５】
ところが、取外し状態においては、ランプピン５６を支持する構造物がないため、ランプ５５を図８に示すように下向きに使用する時には、ランプ５５の自重でランプソケットＰ１、Ｐ２のガイド溝５７およびランプピン挿入溝５１より抜去していた。このため、ランプ交換や点検および清掃時のランプ５５の抜去時には、ランプ５５を回転し終わると同時にランプが自重落下し、作業者の頭上に落下したり、床面に落ちランプ破片で外傷をする可能性があった。
【０００６】
したがって、この発明の目的は、安全にランプ着脱を行えるランプソケットを提供することである。
【０００７】
【課題を解決するための手段】
請求項１記載のランプソケットは、開口部を有し、先端に割り溝が形成された割り付き支柱が前記開口部内に立設され、外側縁から前記開口部に連なるランプピン挿入溝を前面に有するソケット本体と、前記開口部の前記割り付き支柱に貫通して回動自在に支持され前記ランプピン挿入溝に挿入されたランプピンを案内するガイド溝を前面の直径方向に形成した回転子と、前記ソケット本体内に設けられて前記ガイド溝に挿通された前記ランプピンを前記回転子とともに回動することにより前記ランプピンが接触する導電接触片とを備え、前記割り溝は、前記回転子の回動により前記回転子の前記ガイド溝に整合して前記ランプピンを挿通可能であるとともに、前記ランプピンの外径よりも狭い狭窄部を有し、前記ランプピンを前記ガイド溝に挿通した状態で前記狭窄部の位置が前記ランプピンの間にあるものである。
【０００８】
請求項１記載のランプソケットによれば、割り溝にランプピンの外径よりも狭い狭窄部を設けたため、ランプピン挿入溝にガイド溝が整合するランプの取外し状態においてもランプが狭窄部により仮保持されるため自重落下せず、安全に取外しすることができる。またランプを仮保持できるため、照明器具のランプ間引き時にもランプを取外さずに器具取付け状態にしておくことができ、ランプ保管が不要になる。
【０００９】
【発明の実施の形態】
この発明の第１の実施の形態を図１から図４により説明する。すなわち、このランプソケットは、ランプ１６のランプピン１１を回転装着し外す挟み込み形ソケットであり、ソケット本体１と、回転子２と、導電接触片３を有する。
【００１０】
ソケット本体１は、開口部４を有し、外側縁から開口部４に連なるランプピン挿入溝５を前面に有する。ソケット本体１は例えば図５に示すものと同様に、ボディ１ａと、開口部４およびランプピン挿入溝５を形成したカバー１ｂからなる。６は回転子２を回転自在に支持するための割り付き支柱であり、割り溝６ｂはランプピン挿入溝５の溝方向に揃う。この割り溝６ｂは後述のガイド溝１２の一部をなすもので、ランプピン１１が挿通可能でしかもランプピン１１の外径ｙよりも狭い間隔ｘ（ｘ＜ｙ）の狭窄部１５を有し、狭窄部１５は割り溝６ｂの側面より突出した一対の突条１５ａ、１５ｂにより形成している。９は電線挿入穴、１０は電線解除穴である。
【００１１】
回転子２は、開口部４に回動自在に設けられてランプピン挿入溝５に挿入されたランプピン１１を案内するガイド溝１２を前面の直径方向に形成している。回転子２は中心に貫通孔２ｂを有し、割り付き支柱６の周溝６ａに回転子２の貫通孔２ｂの内つば２ａが摺動自在に嵌合している。ガイド溝１２は略中央部にランプピン１１が挿通可能でランプピン１１の外径ｙよりも狭い幅寸法ｘの狭窄部１５を有するものであるが、狭窄部１５は上記したようにガイド溝１２の一部である割り溝６ｂに形成している。
【００１２】
導電接触片３は図示していないが、図５等と同構成のばね部材であり、ソケット本体１内に設けられてガイド溝１２に挿通されたランプピン１１を回転子２とともに回動することによりランプピン１１が接触する。
【００１３】
直管蛍光ランプ１６のランプピン１１を図１に示すように、ランプピン挿入溝５からガイド溝１２に挿入すると、図４（ｂ）に示すように割り溝６ｂが外に弾性変形して突条１５ａ、１５ｂが外側に揺動し、これによりランプピン１１の一方が狭窄部１５を乗り越え、ガイド溝１２に挿通される。この状態でランプ１６から手を離してもランプピン１１は狭窄部１５に引っ掛かるため落下防止される。ランプピン１１の一方が狭窄部１５を通り抜けた状態でランプ１６を回して回転子２を回転すると、ランプピン１１が導電接触片３に接触し、点灯状態となる。一方ランプ１６を回転して回転子２を元の状態に回転し、ガイド溝１２をランプピン挿入溝５に整合すると、割り溝６ｂもガイド溝１２の一部となるように整合し、このときランプピン１１が蛍光ランプ１６の自重によりランプピン挿入溝５から落下しようとするが、ランプピン１１の一方が狭窄部１５に引っ掛かり仮保持されるため、落下防止される。
【００１４】
なお、割り付き支柱６が回転子２を貫通していないものでは、狭窄部１５は回転子２のガイド溝１２に直接形成される。
【００１５】
【発明の効果】
請求項１記載のランプソケットによれば、割り溝にランプピンの外径よりも狭い狭窄部を設けたため、ランプピン挿入溝にガイド溝が整合するランプの取外し状態においてもランプが狭窄部により仮保持されるため自重落下せず、安全に取外しすることができる。またランプを仮保持できるため、照明器具のランプ間引き時にもランプを取外さずに器具取付け状態にしておくことができ、ランプ保管が不要になる。
【図面の簡単な説明】
【図１】この発明の一実施の形態の使用状態の斜視図である。
【図２】カバーおよび導電接触片を外した状態の斜視図である。
【図３】割り付支柱とランプピンとの関係を示す斜視図である。
【図４】（ａ）はその断面図、（ｂ）はランプピンが割り溝を通り抜けるときの断面図である。
【図５】従来のランプソケットの分解斜視図である。
【図６】ランプソケットの斜視図である。
【図７】カバーを外した状態のランプソケットの斜視図である。
【図８】ランプピンの装着を示す説明図である。
【符号の説明】
１    ソケット本体
２    回転子
３    導電接触片
４    開口部
５    ランプピン挿入溝
１１    ランプピン
１２    ガイド溝
１５    狭窄部
【図１】
0004488649.tif 000002
【図２】
0004488649.tif 000003
【図３】
0004488649.tif 000004
【図４】
0004488649.tif 000005
【図５】
0004488649.tif 000006
【図６】
0004488649.tif 000007
【図７】
0004488649.tif 000008
【図８】
0004488649.tif 000009